(57)【要約】【課題】全体的に均一に応力を作用させてクリープ性およびシール性を向上させることができるシール部材を有する流路部材を提供する。【解決手段】インクカートリッジ２０が着脱可能に構成されている流路部材３０における流路部材本体３１０の取付部３１６の周囲に亘って設けられて弾性材料で形成されたシール部材３３０を有し、このシール部材３２０は、脚部２１Ａの端面が当接することにより脚部２１Ａの内周面と取付部３１６の外周面との間で画成される密閉空間３３６を形成する天面部３３０Ａと、該天面部３３０Ａの両端部から取付部の軸方向に沿って形成され、端面３３０Ｅ，３３０Ｆが流路部材本体３１０にそれぞれ当接する内側脚部３３０Ｂ，３３０Ｃと一体的な部材であり、さらに、内側脚部３３０Ｂの内周面と外側脚部３３０Ｃの内周面と天面部３３０Ａの内周面との間に曲面である肉厚部３３０Ｄ，３３０Ｅを有するものとした。【選択図】図２
2014046500.tif 000002
【特許請求の範囲】
【請求項１】
内部に液体を貯留している液体貯留部と、前記液体を噴射するヘッド本体との間に配設され、一方の開口を介して前記液体貯留部から供給される前記液体が他方の開口を介して前記ヘッド本体に供給されるように、前記液体を流通させる液体流路を有するとともに、前記一方の開口の周囲が、前記液体貯留部を装着する取付部となっている流路部材本体と、
前記流路部材本体の前記取付部の周囲に亘って設けられて弾性材料で形成されたシール部材とを具備し、
前記シール部材は、前記液体貯留部に環状に形成された脚部の端面が当接することにより前記脚部の内周面と前記取付部の外周面との間で画成される密閉空間を形成する天面部と、該天面部の両端部から前記取付部の軸方向に沿い前記密閉空間の反対側に伸びて端面が前記流路部材本体にそれぞれ当接する前記取付部側の内側脚部と反対側の外側脚部とを有する一体的な部材であり、
さらに、前記内側脚部の内周面と前記外側脚部の内周面との間の距離が漸減するように、少なくとも前記内側脚部の肉厚が、前記内側脚部の前記端面から前記天面部に向けて漸増するように形成されている肉厚部を少なくとも一部に有することを特徴とする流路部材。
【請求項２】
請求項１に記載する流路部材において、
前記シール部材の前記肉厚部は内周面を曲面とすることにより形成したことを特徴とする流路部材。
【請求項３】
請求項１または請求項２に記載する流路部材において、
前記液体貯留部の前記流路部材に対する装着時において、前記液体貯留部の前記脚部が、前記天面部の中心よりも前記外側脚部側にずれた位置に当接するように前記シール部材を形成したことを特徴とする流路部材。
【請求項４】
請求項１〜請求項３のいずれか一項に記載する流路部材において、
前記シール部材の前記外側脚部および内側脚部の前記端面がそれぞれ曲面となっていることを特徴とする流路部材。
【請求項５】
請求項１〜請求項４のいずれか一項に記載する流路部材を具備することを特徴とする液体噴射ヘッド。
【請求項６】
請求項５に記載する液体噴射ヘッドを具備することを特徴とする液体噴射装置。
【請求項７】
請求項１〜請求項４のいずれか一項に記載する流路部材を具備することを特徴とする液体噴射装置。
【発明の詳細な説明】
【技術分野】
【０００１】
本発明は流路部材、液体噴射ヘッドおよび液体噴射装置に関し、特に流路部材に対して着脱可能となっている液体貯留部との間の液密状態を維持するためのシール部材を有するものに適用して有用なものである。
【背景技術】
【０００２】
液滴を吐出する液体噴射ヘッドの代表例としては、インク滴を吐出するインクジェット式記録ヘッドが挙げられる。このインクジェット式記録ヘッドとしては、例えば、インク滴をノズル開口から吐出するヘッド本体と、ヘッド本体が固定されると共に、インクが貯留されたインクカートリッジ（液体貯留部）が着脱可能に設けられて、インクカートリッジからのインクをヘッド本体に供給する流路部材と、を具備するものが提案されている（例えば、特許文献１参照）。
【０００３】
この特許文献１によれば、多孔質材料などで形成された圧接体からなる供給部をインクカートリッジに設け、この供給部を流路部材の取付部に設けられたフィルターに圧接することで、インクカートリッジと流路部材とを接続している。ここで、インクから水分が蒸発し、インクの増粘によるインクの吐出への悪影響を防止する必要がある。このため、インクカートリッジの前記供給部とフィルターとの周囲に密閉空間を形成している。すなわち、開口部にフィルターが配設された取付部の周囲に環状のシール部材を配設し、インクカートリッジに環状に突出させて形成された脚部の下端面をシール部材の天面部に当接させることで所定の液密状態を確保している。
【０００４】
特許文献１に開示するシール部材は、前記取付部側の内側脚部と反対側の外側脚部が天面部の両端部からインクカートリッジの反対側に突出した凹形状の横断面形状を有するもであり、天面部と内側脚部および外側脚部との結合部は直角となっている。
【先行技術文献】
【特許文献】
【０００５】
【特許文献１】特開２００７−１５２７２号公報
【発明の概要】
【発明が解決しようとする課題】
【０００６】
上述の如く特許文献１では、シール部材においては、シール部材の天面部と内側脚部および外側脚部との結合部が直角となっているので、インクカートリッジの着脱が繰り返された場合、インクカートリッジの脚部を介してシール部材の天面部に作用する押圧力による応力が結合部に集中することにより天面部が落ち込むようにクリープしてインクカートリッジとの密着性が悪化する。
【０００７】
かかるクリープ性はシール部材の肉厚を厚くすることにより、改善されるが、今度はシール部材からインクカートリッジに作用する反力が大きくなり、この点での限界がある。
【０００８】
なお、このような問題はインクジェット式記録ヘッド等の液体噴射ヘッドに用いられる流路部材だけではなく、液体噴射ヘッド以外のデバイスに用いられる流路部材においても同様に存在する。
【０００９】
本発明は、上記従来技術に鑑み、全体的に均一に応力を作用させてクリープ性およびシール性を向上させることができるシール部材を有する流路部材、液体噴射ヘッドおよび液体噴射装置を提供することを目的とする。
【課題を解決するための手段】
【００１０】
上記課題を解決する本発明の態様は、内部に液体を貯留している液体貯留部と、前記液体を噴射するヘッド本体との間に配設され、一方の開口を介して前記液体貯留部から供給される前記液体が他方の開口を介して前記ヘッド本体に供給されるように、前記液体を流通させる液体流路を有するとともに、前記一方の開口の周囲が、前記液体貯留部を装着する取付部となっている流路部材本体と、前記流路部材本体の前記取付部の周囲に亘って設けられて弾性材料で形成されたシール部材とを具備し、前記シール部材は、前記液体貯留部に環状に形成された脚部の端面が当接することにより前記脚部の内周面と前記取付部の外周面との間で画成される密閉空間を形成する天面部と、該天面部の両端部から前記取付部の軸方向に沿い前記密閉空間の反対側に伸びて端面が前記流路部材本体にそれぞれ当接する前記取付部側の内側脚部と反対側の外側脚部とを有する一体的な部材であり、さらに、前記内側脚部の内周面と前記外側脚部の内周面との間の距離が漸減するように、少なくとも前記内側脚部の肉厚が、前記内側脚部の前記端面から前記天面部に向けて漸増するように形成されている肉厚部を少なくとも一部に有することを特徴とする流路部材にある。
本態様によれば、少なくとも内側脚部の一部には肉厚部が形成されているので、天面部を介して作用する応力が分散される。この結果、シール部材のクリープ性を向上させることができ、内側脚部外周面の取付部材の外周面に対する密着性を長期に亘り安定に維持させることができる。また、前記密閉空間からの水分透過量も可及的に抑制し得る。
【００１１】
ここで、前記シール部材の前記肉厚部は内周面を曲面とするのが望ましい。このことによりシール部材に作用する応力の分散を効果的に図ることができる。また、前記液体貯留部の前記流路部材に対する装着時において、前記液体貯留部の前記脚部が、前記天面部の中心よりも前記外側脚部側にずれた位置に当接するように前記シール部材を形成するのが望ましい。このことにより、シール性を犠牲にすることなく天面部の幅方向に関するシール部材の小形化を実現し得る。
【００１２】
さらに、前記シール部材の前記外側脚部および内側脚部の前記端面がそれぞれ曲面となっているのが望ましい。この場合には、シール部材の内側脚部および外側脚部が流路部材本体に傾いた状態で取り付けられた場合でも内側脚部および外側脚部の端面と流路部材本体との間の間隙を除去して良好なシール性を維持し得る。
【００１３】
また、本発明の他の態様は、上記流路部材を具備することを特徴とする液体噴射ヘッドにある。
かかる態様では、液体貯留部と流路部材との間で長期に亘り安定したシール性が発揮されることで、液滴の吐出特性を良好に維持し得る。
【００１４】
さらに、本発明の他の態様は、上記液体噴射ヘッドを具備することを特徴とする液体噴射装置にある。
かかる態様では、信頼性を向上して小型化した液体噴射装置を実現できる。
【００１５】
さらに、本発明の他の態様は、上記流路部材を具備することを特徴とする液体噴射装置にある。
かかる態様では、信頼性を向上して小型化した液体噴射装置を実現できる。
【図面の簡単な説明】
【００１６】
【図１】実施形態に係る記録ヘッドを示す分解斜視図である。
【図２】実施形態に係る記録ヘッドを示す断面図である。
【図３】上記実施の形態におけるシール部材を示す斜視図である。
【図４】インクカートリッジを流路部材に装着する手順を示す断面図である。
【図５】インクカートリッジを流路部材に装着する手順を示す断面図である。
【図６】本発明の実施の形態に係る記録装置の概略図である。
【発明を実施するための形態】
【００１７】
以下本発明の実施の形態を図面に基づき詳細に説明する。
図１は、本発明の実施の形態に係る液体噴射ヘッドであるインクジェット式記録ヘッドの分解した斜視図、図２はその断面図であり、液体としてインクを貯留した液体貯留部であるインクカートリッジを流路部材から取り外した状態を示している。
【００１８】
両図に示すように、インクジェット式記録ヘッド１０は、インクを貯留した液体貯留部であるインクカートリッジ２０が着脱される流路部材３０と、流路部材３０に固定されたヘッド本体４０とを具備する。
【００１９】
流路部材３０は、流路部材本体３１０と、フィルター３１７と、流路部材本体３１０に設けられたシール部材３３０とを具備する。流路部材本体３１０には液体流路３１１が形成されている。液体流路３１１は、その一方の開口部であるフィルター室３１１Ａを介してインクカートリッジ２０から供給されるインクが、他方の開口部３１１Ｂを介してヘッド本体４０に供給されるように流通させる。ここで、フィルター室３１１Ａは開口端に向けて径が漸増する円錐状の空間として形成されており、液体流路３１１のフィルター室３１１Ａ側には、インクカートリッジ２０が装着されるカートリッジ装着部３１２が設けられている。
【００２０】
カートリッジ装着部３１２には、本形態の場合、４個のインクカートリッジ２０が装着される。また、カートリッジ装着部３１２は、周囲を壁部３１３で囲まれており、壁部３１３の相対向する一対の壁面のうち、一方の壁面には厚さ方向に貫通した第１の係合穴３１４が設けられている。また、第１の係合穴３１４が設けられた壁面に相対向する他方の壁面には、厚さ方向に貫通した第２の係合穴３１５が設けられている。第１の係合穴３１４および第２の係合穴３１５にインクカートリッジ２０の第１の係合爪２４および第２の係合爪２５が係合されることで、カートリッジ装着部３１２にインクカートリッジ２０が装着される。
【００２１】
本形態におけるカートリッジ装着部３１２には４個のインクカートリッジ２０が装着されるので、各インクカートリッジ２０の間を仕切る仕切り板３１３Ａが設けられている。
【００２２】
また、流路部材本体３１０のカートリッジ装着部３１２には、円柱状に突出した取付部３１６が設けられている。本形態では、カートリッジ装着部３１２に４個のインクカートリッジ２０が固定されるため、取付部３１６も４個設けられている。本形態における取付部３１６は、先端面に開口する液体流路３１１が設けられた円筒形状を有しており、液体流路３１１が開口する突出した先端面には液体流路３１１の開口を覆うフィルター３１７が設けられている。ここで、取付部３１６は液体流路３１１の一部を形成しており、その先端部のフィルター室３１１Ａを覆うようにフィルター３１７が配設されている。フィルター３１７は、液体であるインク中に含まれる異物や気泡を除去するためのもので、円盤形状を有し、取付部３１６の先端面（液体流路３１１のフィルター室３１１Ａ）とほぼ同じ面積となっている。ここで、フィルター３１７の周縁部は、取付部３１６の周縁部とほば同じ位置まで設けられている。また、このようなフィルター３１７が設けられた取付部３１６の周囲には円環状のシール用溝部３１９が設けられており、このシール用溝部３１９内にシール部材３３０が配設されている。
【００２３】
本形態におけるシール部材３３０は、特に図２（ｂ）および図２（ｃ）に、この部分を拡大して示すように、天面部３３０Ａ、内側脚部３３０Ｂおよび外側脚部３３０Ｃからなり、横断面形状がほぼ凹形に成形された一体的な部材である。ここで、天面部３３０Ａは、インクカートリッジ２０に環状に形成された脚部２１Ａの端面が当接することにより脚部２１Ａの内周面と取付部３１６の外周面との間で画成される密閉空間３３６を形成する。内側脚部３３０Ｂは天面部３３０Ａの一方の端部から取付部３１６の軸方向に沿い密閉空間３３６の反対側（図２中下方）に伸びて下端面がシール用溝部３１９において流路部材本体３１０に当接している。また、外側脚部３３０Ｃは天面部３３０Ａの他方の端部から取付部３１６の軸方向に沿い密閉空間３３６の反対側（図２中下方）に伸びて下端面がシール用溝部３１９において流路部材本体３１０に当接している。かくして、流路部材３０にインクカートリッジ２０を装着した状態では、シール部材３３０によって密閉空間３３６が液密に構成されている。
【００２４】
さらに、内側脚部３３０Ｂと天面部３３０Ａとの接合部および外側脚部３３０Ｃと天面部３３０Ａとの接合部においては、内側脚部３３０Ｂの内周面から天面部３３０Ａの内周面に続く部分、外側脚部３３０Ｃの内周面から天面部３３０Ａの内周面に続く部分が曲面部となっており、各曲面部で肉厚部３３０Ｄ，３３０Ｅを形成している。
【００２５】
本形態においては、インクカートリッジ２０の流路部材３０に対する装着時において、インクカートリッジ２０の脚部２１Ａを介して天面部３３０Ａに作用する押圧力の作用点が、図２（ｃ）に明示するように、天面部３３０Ａの図中水平方向の中心よりも外側脚部３３０Ｃ側にずれた位置Ｐにあるように形成している。このことにより、天面部３３０Ａの水平方向の幅を小さくしてシール部材３３０の全体的な小形化を図っている。
【００２６】
内側脚部３３０Ｂの内周面から天面部３３０Ａの内周面に続く曲面部および外側脚部３３０Ｃの内周面から天面部３３０Ａの内周面に続く曲面部の曲線の半径は、例えば内側脚部３３０Ｂの下端を通り、位置Ｐを通る垂線に直交する水平線との交点までの距離Φ１および外側脚部３３０Ｃの下端を通り、位置Ｐを通る垂線に直交する水平線との交点までの距離Φ２とすることにより、応力の集中を良好に分散させる肉厚部３３０Ｄ，３３０Ｅを形成することができる。
【００２７】
さらに、内側脚部３３０Ｂおよび外側脚部３３０Ｃの端面３３０Ｆ，３３０Ｇはそれぞれ曲面となっている。この結果、シール部材３３０の内側脚部３３０Ｂおよび外側脚部３３０Ｃが流路部材本体３１０に傾いた状態で取り付けられた場合でも内側脚部３３０Ｂおよび外側脚部３３０Ｃの端面と流路部材本体３１０との間の間隙を除去して良好なシール性を維持し得る。
【００２８】
かかるシール部材３３０の全体形状を、図３に基づき詳細に説明する。なお、図３は、シール部材の全体を示す斜視図である。同図に示すように、シール部材３３０は、ゴムやエラストマーなどの可撓性材料で形成されており、平板状の天面部３３０Ａと、円筒形状を有する内側脚部３３０Ｂと、内側脚部３３０Ｂよりも大きな内径を有する円筒形状の外側脚部３３０Ｃとを一体的に連続させて形成してある。
【００２９】
内側脚部３３０Ｂは、取付部３１６の外周にほぼ密着する大きさの内径を有する。また、外側脚部３３０Ｃは、取付部３１６の周囲に設けられたシール用溝部３１９よりも若干小さな外径を有する。かかるシール部材３３０は、取付部３１６の外周に嵌合して取り付けられる。このとき、天面部３３０Ａは、内側脚部３３０Ｂの上端（インクカートリッジ２０側の端部）と外側脚部３３０Ｃの上端とに支持されるため、天面部３３０Ａはインクカートリッジ２０からの押圧によって内側脚部３３０Ｂと外側脚部３３０Ｃとの間で流路部材本体３１０側に向かって凸となるように撓み変形し易くなっている。
【００３０】
インクカートリッジ２０は、図１および図２（ａ）に明示するように、内部にインク（液体）が貯留された中空箱形状を有する。また、インクカートリッジ２０の底面には、円筒形状のリブ２１が設けられており、リブ２１の内部には、インクカートリッジ２０の内部のインクを流路部材３０に供給する供給口２２が設けられている。この供給口２２の内部には、供給部２３が設けられている。供給部２３は、流路部材３０のフィルター３１７に圧接して、インクカートリッジ２０内のインクを流路部材３０の液体流路３１１に供給するためのものである。このような供給部２３としては、例えば、綿状パルプ、高分子吸水ポリマー、ウレタンフォーム等の多孔質材料や不織布などを用いることができる。ここで、シール部材３３０の天面部３３０Ａに当接される環状の凸部である脚部２１Ａはリブ２１の下端面から突出させて形成してある。
【００３１】
ヘッド本体４０は、流路部材３０に固定される面とは反対側に、液体としてインク滴を吐出するノズルが開口する液体噴射面が設けられている。また、ヘッド本体４０の図示しない内部にはノズルに連通すると共に流路部材３０の流路に連通する液体流路と、液体流路内のインクに圧力変化を生じさせる圧力発生手段等が設けられている。かかる圧力発生手段としては、例えば、電気機械変換機能を呈する圧電材料を有する圧電アクチュエーターの変形によって液体流路の容積を変化させて液体流路内のインクに圧力変化を生じさてノズルからインク滴を吐出させるものや、液体流路内に発熱素子を配置して、発熱素子の発熱で発生するバブルによってノズルからインク滴を吐出するものや、振動板と電極との間に静電気力を発生させて、静電気力によって振動板を変形させてノズルからインク滴を吐出させるいわゆる静電式アクチュエーターなどを使用することができる。
【００３２】
このようなインクジェット式記録ヘッド１０では、インクカートリッジ２０からのインクを流路部材３０を介してヘッド本体４０に供給し、圧力発生手段によって液体流路内のインクに圧力変化を生じさせることで、ノズルからインク滴が吐出される。
【００３３】
次に、インクカートリッジ２０を流路部材３０から取り外した状態から流路部材３０に装着する方法について図４および図５を参照して説明する。なお、図４および図５は、本形態に係るインクカートリッジを流路部材に装着する手順を示す断面図である。
【００３４】
図４（ａ）に示すように、インクカートリッジ２０を流路部材３０から取り外した状態から図４（ｂ）に示すように、インクカートリッジ２０の第１の係合爪２４側を先に流路部材本体３１０の壁部３１３の内部に斜めに挿入し、第１の係合爪２４を第１の係合穴３１４に挿入する。これにより、インクカートリッジ２０のリブ２１が、第１の係合穴３１４側のシール部材３３０に当接する。
【００３５】
次に、図５（ａ）に示すように、インクカートリッジ２０の第１の係合爪２４を第１の係合穴３１４に挿入した状態で、第１の係合爪２４を支点としてインクカートリッジ２０を回転させることで、インクカートリッジ２０を壁部３１３の内部に挿入する。このとき、第２の係合爪２５は、流路部材本体３１０の壁部３１３に押圧されて弾性変形するため、インクカートリッジ２０を壁部３１３の内部に挿入するのを阻害することがない。
【００３６】
また、本形態では、インクカートリッジ２０は、第２の係合爪２５が第２の係合穴３１５に挿入された状態からさらにインクカートリッジ２０を壁部３１３の内部、すなわちヘッド本体４０が取り付けられる面側に押圧する。これにより、インクカートリッジ２０のリブ２１がシール部材３３０を流路部材本体３１０側に向かって凸となるように撓み変形させる。この結果、リブ２１の内部が封止される。
【００３７】
かかる状態でインクカートリッジ２０を押している力を解除することで、図５（ｂ）に示すように、インクカートリッジ２０はシール部材３３０の反力（弾性力）によって取付部３１６とは離れる方向に移動する。このとき、流路部材本体３１０の壁部３１３に押圧されて弾性変形していた第２の係合爪２５は、元に戻ろうとする弾性力によって第２の係合穴３１５に挿入される。そして、シール部材３３０の反力と、第２の係合爪２５の弾性力とによって、第２の係合爪２５は、第２の係合穴３１５の取付部３１６とは反対側の壁部に当接して、インクカートリッジ２０は、流路部材３０のカートリッジ装着部３１２に固定される。
【００３８】
ここで、本形態におけるシール部材３３０は内側脚部３３０Ｂの肉厚部３３０Ｄで天面部３３０Ａを介してインクカートリッジ２０から作用する応力が分散される（図２参照）。この結果、シール部材３３０のクリープ性を向上させることができ、内側脚部３３０Ｂの外周面の取付部３１６の外周面に対する密着性を長期に亘り安定に維持させることができる。また、密閉空間３３６からの水分透過量も可及的に抑制し得る。
【００３９】
ここで、肉厚部３３０Ｄは内周面が曲面となっているので、特に良好にシール部材３３０に作用する応力の分散を効果的に図ることができる。
【００４０】
以上、本発明の実施の形態について説明したが、本発明の基本的構成は上述した物に限定されるものではない。例えば、上記実施の形態においては内側脚部３３０Ｂの内周面のみならず外側脚部３３０Ｃの内周面にも肉厚部３３０Ｄ，３３０Ｅとなる曲面部を形成したが、肉厚部３３０Ｄは少なくとも内側脚部３３０Ｂに形成されていれば良い。内側脚部３３０Ｂの内周面が取付部３１６の外周面に接触されて両者間のシール性が特にシール部材３３０の寿命に大きな影響を与えるからである。
【００４１】
また、肉厚部は曲面で形成されている必要は必ずしもない。曲面の場合が最も良好に応力の分散を図ることができるが、内側脚部３３０Ｂの内周面と外側脚部３３０Ｃの内周面との間の距離が漸減するように、少なくとも内側脚部３３０Ｂの肉厚が、内側脚部３３０Ｂの端面３３０Ｆから天面部３３０Ａの内周面に向けて漸増するように形成されていれば良い。したがってテーパー形状等、直線で形成される場合であっても良い。さらに、端面３３０Ｆ，３３０Ｇを曲面で形成することも必須ではない。ただ、特にシール部材３３０が流路部材本体３１０に傾いて装着されている場合であってもシール性を向上させることはできる。
【００４２】
また、上記実施の形態に係るインクジェット式記録ヘッド１０は、インクカートリッジ等と連通するインク流路を具備するインクジェット式記録ヘッドユニットの一部を構成して、インクジェット式記録装置に搭載される。図６は、そのインクジェット式記録装置の一例を示す概略図である。
【００４３】
図６に示すインクジェット式記録装置Ｉにおいて、複数のインクジェット式記録ヘッド１０は、インク供給手段を構成するインクカートリッジ２０が着脱可能に設けられ、このインクジェット式記録ヘッド１０を搭載したキャリッジ３は、装置本体４に取り付けられたキャリッジ軸５に軸方向移動可能に設けられている。このインクジェット式記録ヘッド１０は、例えば、ブラックインク組成物及びカラーインク組成物を吐出するものとしている。
【００４４】
そして、駆動モーター６の駆動力が図示しない複数の歯車およびタイミングベルト７を介してキャリッジ３に伝達されることで、インクジェット式記録ヘッド１０を搭載したキャリッジ３はキャリッジ軸５に沿って移動される。一方、装置本体４にはキャリッジ軸５に沿ってプラテン８が設けられており、図示しない給紙ローラーなどにより給紙された紙等の記録媒体である記録シートＳがプラテン８に巻き掛けられて搬送されるようになっている。
【００４５】
上述した実施の形態では、流路部材３０を具備するインクジェット式記録ヘッド１０について説明したが、インクジェット式記録ヘッド１０以外の部分に流路部材３０が設けられたインクジェット式記録装置にも本発明は適用することができる。具体的には、インクが貯留された液体貯留部であるインクタンクが、キャリッジ３に搭載されずに、装置本体４に固定されて、インクタンクとヘッド本体４０とをチューブ状の供給管で接続するインクジェット式記録装置の場合、例えば、インクタンクを設置する場所に上述した流路部材３０が設けられていてもよい。
【００４６】
また、上述したインクジェット式記録装置Ｉでは、インクジェット式記録ヘッド１０がキャリッジ３に搭載されて主走査方向に移動するものを例示したが、特にこれに限定されず、例えば、インクジェット式記録ヘッド１０が固定されて、紙等の記録シートＳを副走査方向に移動させるだけで印刷を行う、いわゆるライン式記録装置にも本発明を適用することができる。
【００４７】
さらに、本発明は、広く液体噴射ヘッド全般を対象としたものであり、例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等の製造方法にも適用することができる。
【００４８】
また、本発明は液体噴射ヘッド及び液体噴射装置に搭載される流路部材に限定されず、その他のデバイスに搭載される流路部材についても適用可能である。
【符号の説明】
【００４９】
Ｉ  インクジェット式記録装置（液体噴射装置）、  １０  インクジェット式記録ヘッド（液体噴射ヘッド）、  ２０  インクカートリッジ（液体貯留部）、  ２３  供給部、３０  流路部材、  ４０  ヘッド本体、  ３１０  流路部材本体、  ３１１  液体流路、３１６  取付部、  ３３０  シール部材、  ３３０Ａ  天面部、  ３３０Ｂ  内側脚部、３３０Ｃ  外側脚部、  ３３０Ｄ  肉厚部
【図１】
2014046500.tif 000003
【図２】
2014046500.tif 000004
【図３】
2014046500.tif 000005
【図４】
2014046500.tif 000006
【図５】
2014046500.tif 000007
【図６】
2014046500.tif 000008